(57)【要約】【課題】装置本体を構成するソケット取付部品と、該ソケット取付部品に取り外し可能に装着されたソケットとを別体に製造することにより、複数種類の安全錠に対応するソケットを製造するだけで良いようにして、装置本体を製造し且つ管理する場合に比し、製造コスト及び在庫管を容易にすることにある。【解決手段】受枠側に形成された開口部を開閉自在に閉塞する蓋体に固定される装置本体に、施錠フックが前記受枠に係合して蓋体が開放するのを規制する施錠位置と受枠から係合が解除されて蓋体が開放するのを許容する解錠位置とに位置変更自在に設けられ、装置本体に挿入される開閉操作治具の回転により、施錠フックを操作可能に構成され、しかも、装置本体には、前記開閉操作治具の挿入を阻止すべく安全錠が着脱可能に設けられた蓋体の施錠装置において、前記装置本体は、ソケット取付部品と、該ソケット取付部品に取り外し可能に装着されたソケットとを備え、ソケットに前記安全錠が取り付けられていることにある。【選択図】  図１
2004190261.tif 000002
【特許請求の範囲】
【請求項１】
受枠側に形成された開口部を開閉自在に閉塞する蓋体に固定される装置本体に、施錠フックが前記受枠に係合して蓋体が開放するのを規制する施錠位置と受枠から係合が解除されて蓋体が開放するのを許容する解錠位置とに位置変更自在に設けられ、装置本体に挿入される開閉操作治具の回転により、施錠フックを操作可能に構成され、しかも、装置本体には、前記開閉操作治具の挿入を阻止すべく安全錠が着脱可能に設けられた蓋体の施錠装置において、
前記装置本体は、ソケット取付部品と、該ソケット取付部品に取り外し可能に装着されたソケットとを備え、ソケットに前記安全錠が取り付けられていることを特徴とする蓋体の施錠装置。
【請求項２】
前記ソケットは、ソケット取付部品よりも腐食し難い材料からなる請求項１に記載の蓋体の施錠装置。
【請求項３】
前記ソケット取付部品は、ダクタイル鋳鉄等の鉄からなり、ソケットは、ステンレスからなる請求項２に記載の蓋体の施錠装置。
【請求項４】
受枠側に形成された開口部を開閉自在に閉塞する蓋体に固定される装置本体に、施錠フックが前記受枠に係合して蓋体が開放するのを規制する施錠位置と受枠から係合が解除されて蓋体が開放するのを許容する解錠位置とに位置変更自在に設けられ、装置本体に挿入される開閉操作治具の回転により、施錠フックを操作可能に構成され、しかも、装置本体には、前記開閉操作治具の挿入を阻止すべく安全錠が着脱可能に設けられた蓋体の施錠装置において、
前記装置本体は、ソケット取付部品と、該ソケット取付部品に取り外し可能に装着されたソケットと、前記施錠フックを回動自在に保持する施錠取付部品とを備え、前記ソケット取付部品は、蓋体の上面側に取り付けられ、且つ、前記施錠取付部品は、蓋体の下面側に着脱自在に取り付けられ、前記安全錠が取り付けられたソケットは、蓋体の下面側からソケット取付部品に着脱できる構成にしてなることを特徴とする蓋体の施錠装置。
【発明の詳細な説明】
【０００１】
【発明の属する技術分野】
本発明は、蓋体の施錠装置に係り、特に施錠による防犯機能が必要な地下構造物用鉄蓋、例えば電線共同溝用蓋体の施錠装置に関する。
【０００２】
【従来技術】
従来、例えば、ガス管や水道管や電話ケ−ブル等を埋設する地下共同溝には、適宜間隔毎に点検作業用のマンホ−ルが設けてあり、該マンホ−ルには、その開口部を閉塞するための点検作業用の蓋体が取り付けられている。そして、該蓋体には、共同溝内に設置したガス管等に対する悪戯、盗難、破壊行為などを防止するため蓋体が開けられないように施錠装置が取り付けられているのが一般的である。
【０００３】
かかる施錠装置は、受枠に形成された開口部を開閉自在に閉塞する蓋体に固定される装置本体と、該装置本体に、前記受枠に係合して蓋体が開放するのを規制する施錠位置と、受枠から係合が解除されて蓋体が開放するのを許容する解錠位置とに位置変更自在に設けられた施錠フックとを備えたものである。
【０００４】
そして、施錠装置の施錠又は解錠操作に際しては、開閉用治具を装置本体に挿入し、該開閉用治具を回動させることにより、施錠フックを施錠位置と解錠位置との間で位置変更できるようになっている。
また、安全性を確保する目的から、装置本体には開閉用治具を装置本体に挿入して施錠フックが操作できないように、安全錠（シリンダ錠）が設けられている。
【０００５】
【特許文献１】
実用新案登録第３０７１９１８号公報
【０００６】
【発明が解決しようとする課題】
前記シリンダ錠は、各ユーザー仕様に対応した形状や大きさの異なる複数種類のものがあるため、各シリンダ錠に対応した装置本体を製造する必要があり、複数種類の装置本体を製造し且つストックして管理する必要があった。
【０００７】
また、現場で蓋を吊り上げて、受枠の開口から各種ケーブル等を点検する作業を行うのであるが、かかる作業の際には、装置本体からシリンダ錠を取り出し、その装置本体に上方から前記開閉用治具を挿入している。即ち、多数の開閉蓋の点検作業毎に、シリンダ錠を取り外すこととなるため、シリンダ錠の取り外し作業は迅速に行えるようにするのが好ましい。
【０００８】
例えば、雨水等によりシリンダ錠の取付部が腐食してしまうと、シリンダ錠の取り外しが困難となり、点検作業効率を低下させる一因となっていた。尚、シリンダ錠は、通常、ステンレス製のケーシングに収納されたものであるため、錆びるおそれはない。そこで、装置本体を耐腐食性の高い材料で製造することも考えられるが、耐腐食性の高い材料で装置本体を製造するには、商品のコストが高くなる欠点がある。
【０００９】
本発明の第一の課題は、装置本体を構成するソケット取付部品と、該ソケット取付部品に取り外し可能に装着されたソケットとを別体に製造することにより、複数種類の安全錠に対応するソケットを製造するだけで良いようにして、装置本体を製造し且つ管理する場合に比し、製造コスト及び在庫管を容易にすることにある。
【００１０】
また、第二の課題は、現場での各種ケーブル等の点検作業を容易且つ迅速に行えるようにすることにある。
【００１１】
【課題を解決するための手段】
本発明は、上記課題を解決するためになされたもので、その特徴は、受枠側に形成された開口部を開閉自在に閉塞する蓋体に固定される装置本体に、施錠フックが前記受枠に係合して蓋体が開放するのを規制する施錠位置と受枠から係合が解除されて蓋体が開放するのを許容する解錠位置とに位置変更自在に設けられ、装置本体に挿入される開閉操作治具の回転により、施錠フックを操作可能に構成され、しかも、装置本体には、前記開閉操作治具の挿入を阻止すべく安全錠が着脱可能に設けられた蓋体の施錠装置において、前記装置本体は、ソケット取付部品と、該ソケット取付部品に取り外し可能に装着されたソケットとを備え、ソケットに前記安全錠が取り付けられていることにある。
【００１２】
そして、前記装置本体は、ソケット取付部品と、該ソケット取付部品に取り外し可能に装着されたソケットとを備え、ソケットに前記安全錠が取り付けられていることから、複数種類のソケットを製造するだけで良く、種類の異なる装置本体全体を製造する必要がなく、製造コストが安価になると共に、ストックのスペースも減少し在庫管理が容易になる。
【００１３】
しかも、前記ソケットは、ソケット取付部品よりも腐食し難い材料からなるのが好ましく、かかる場合には、例えば、雨水等によりソケットが長期にわたって錆び難くくなり、安全錠がソケットに錆びついてしまうのを防止でき、安全錠の取り外し作業を容易且つ迅速に行え、点検作業効率を向上させることができる。
【００１４】
また、受枠側に形成された開口部を開閉自在に閉塞する蓋体に固定される装置本体に、施錠フックが前記受枠に係合して蓋体が開放するのを規制する施錠位置と受枠から係合が解除されて蓋体が開放するのを許容する解錠位置とに位置変更自在に設けられ、装置本体に挿入される開閉操作治具の回転により、施錠フックを操作可能に構成され、しかも、装置本体には、前記開閉操作治具の挿入を阻止すべく安全錠が着脱可能に設けられた蓋体の施錠装置において、前記装置本体は、ソケット取付部品と、該ソケット取付部品に取り外し可能に装着されたソケットと、前記施錠フックを回動自在に保持する施錠取付部品とを備え、前記ソケット取付部品は、蓋体の上面側に取り付けられ、且つ、前記施錠取付部品は、蓋体の下面側に着脱自在に取り付けられ、前記安全錠が取り付けられたソケットは、蓋体の下面側からソケット取付部品に着脱できる構成にしてなることにある。
【００１５】
そして、前記安全錠が取り付けられたソケットは、蓋体の下面側からソケット取付部品に着脱できる構成であるため、ソケット取付部品が蓋体に固定された状態であっても、ソケットのメンテナンスや交換作業を容易且つ迅速に行える。
【００１６】
【発明の実施の形態】
以下、本発明の実施の形態について図面を参照しながら説明する。
図１〜図１０は本発明の一実施の形態の施錠装置Ａを示す。本施錠装置Ａは、図１〜図３に示す如く、共同電線溝の地表開口部を開閉する、平面形状が四角形で、且つ上面にブロックを設置して用いる単一又は複数の蓋体としての鉄蓋１と、その地表開口部２ｂの内周部を形成し、閉じた状態の鉄蓋を支持する受枠２に対して実施したものである。この施錠装置Ａは、上部ユニットＢ及び下部ユニットＣからなる。
【００１７】
前記下部ユニットＣは、図４に示す如く、施錠フック５、操作体としての施錠回転板６、圧縮ばね７、施錠取付部品８及び調整ねじ１０から主構成されている。施錠フック５は、図５（ロ）に示す如く筒状で且つ下端にフランジ部１１を有する本体部１２と、施錠係合用兼第１旋回規制部形成用の突出部１３と、第２旋回規制部形成用の突出部１５とにより構成されている。本体部１２の上面には、平面視矩形上の凹部からなる係合部１６が形成され、該係合部１６に前記施錠回転板６が相対回転不能で且つ着脱自在に嵌合されている。また、本体部１２の上部には、雄ねじ部１９が形成されている。
【００１８】
前記施錠回転板６は、図５（イ）に示す如く略矩形状の金属製の板材からなり、その中央部には、被係合部としての非円形（例えば、矩形状）の操作開口部１８が形成されている。また、施錠回転板６の厚さは、前記係合部１６の深さと略同等に設定されている。
【００１９】
前記圧縮ばね７は、前記フランジ部１１に上方から当接するように本体部１２に外嵌されている。前記施錠取付部品８は平面視矩形状を呈しており、前記本体部１２が挿通される挿通孔２０ａが形成されている。そして、本体部１２のフランジ部１１と施錠取付部品８とで前記圧縮ばね７を圧縮保持すべく、施錠取付部品８の上方から前記調整ねじ１０が、本体部１２の雄ねじ部１９に螺合されている。ここで、施錠フック５は施錠取付部品８に対して所定の摩擦抵抗が付与された状態で回動自在になっている。
【００２０】
前記施錠取付部品８には複数の取付孔２０が形成され、各取付孔２０に挿通されたボルト１７及びナット１７ａにより、施錠取付部品８を鉄蓋１の下面（裏面）に取り付けている。前記施錠係合用兼第１旋回規制部形成用の突出部１３は、図１に示す如く所定の施錠位置で受枠２の内側縁部２ａに下方から係合する突出量である。また、前記第２旋回規制部形成用の突出部１５が、前記ストッパ部８ａに当接することにより、施錠フック５の施錠位置を位置決めすることができる。図３（ロ）に仮想線で示す如く前記突出部１３の一方の側面１３ａが、前記施錠取付部品８から下方に突出するストッパ部８ａに当接することにより、施錠フック５を解錠位置に位置決めすることができる。
【００２１】
前記上部ユニットＢは、図６、図７、図８（イ）及び図９に示す如く、ソケット取付部品としての上部本体２２及びソケット２３を備えている。上部本体２２は、例えば、ダクタイル鋳鉄から製造され且つ平面視矩形状を呈し、その下端の３片にフランジ部２５を有している。該フランジ部２５における前記施錠取付部品８の取付孔２０と対応する位置には、取付孔２６が設けられている。そして、前記ボルト１７及びナット１７ａにより、上部本体２２は鉄蓋１の上面（表面）に取り付けている。また、上部本体２２には、前記ソケット２３が下方から挿入れさる収納部２７が形成されている。収納部２７は、円形状の挿入孔２８と、該挿入孔２８の下部に設けられた保持凹部３０とからなる。保持凹部３０は、挿入孔２８よりも大径で且つ矩形状に形成されている。
【００２２】
前記ソケット２３は、例えばステンレス等の錆難い材料から構成され、図６、図７及び図９（ロ）に示す如く、前記挿入孔２８に挿入れさる筒状部３１と、前記保持凹部３０に嵌合れさる矩形状の取付部３２とからなる。そして、該取付部３２は固定具としてのボルト３３により、上部本体２２に着脱自在に固定されるようになっている。前記筒状部３１の内周には雌ねじ部３が形成されており、該雌ねじ部３には、図１に示す如くシリンダ錠３５が螺合されている。また、図１に示す如く、前記鉄蓋１には、前記取付部３２よりも大きな開口１ａが形成されている。
【００２３】
シリンダ錠３５は、図７に示す如く外形を略円筒状に形成されており、上面には、前記雌ねじ部３１ａの内径より若干大径な係止鍔３５ａが設けられ、且つ、下部偏心位置には回動可能に係止片部３５ｂが設けられている。従って、図示省略の鍵孔に鍵を挿入して回転させることにより、前記係止片部３５ｂを回動させ、上部本体２２との係合を解除してシリンダ錠３５出し入れすることができるようになっている。
【００２４】
尚、３７は、前記前記ソケット２３の上面に形成された嵌合凹部２３ａ内に着脱可能に嵌合させる磁着可能な部材からなるキャップである。尚、前記上部ユニットと下部ユニットＣの施錠回転板６、圧縮ばね７、施錠取付部品８及び調整ねじ１０から装置本体が構成されている。
【００２５】
以上の構成からなる鉄蓋の施錠装置は、図１及び図３（ロ）の実線で示す施錠フックの状態が施錠状態であり、  図３（ロ）に仮想線で示す施錠フックの状態が解錠状態である。通常は施錠フック５は施錠状態におかれている。そして、鉄蓋１を開くには、図示省略の開閉用治具のマグネット部により吸着してキャップ３７を取り外す。次に、ソケット２３に装着されたシリンダ錠３５に挿入した鍵を回転させることにより、前記係止片部３５ｂを回動させてソケット２３との係合状態を解除し、シリンダ錠３５を取り出す。
【００２６】
次に、図１０に示す如く、開閉用治具３８の一端側に設けた所定形状の嵌合部４０をソケット２３内に挿入し、前記下部ユニットの本体部１２の係合部１６に相対回転不能に嵌合されている前記施錠回転板６の操作開口部１８に嵌合させる。そして、開閉用治具３８を所定方向に回転操作すると、施錠フック５が施錠位置から解錠位置まで約９０度回転して解錠状態となる。
【００２７】
施錠フック５を解除させた後に、開閉用治具３８を抜き、ソケット２３の雌ねじ部３１ａに、アイボルト等の支持部の雄ねじ部を螺合し、該支持部の上部に設けた止輪にフックを引っかけて、鉄蓋１を持ち上げる。
【００２８】
更に、受枠２に鉄蓋１を載せただけの解錠状態から施錠状態とするには、前記とは反対方向に、嵌合部４０が施錠回転板６の開口１８に係合する開閉用治具を回転操作すると、施錠フック５が前記とは反対方向に約９０度回転し、施錠状態となる。そして、シリンダ錠３５を再びソケット２３に螺合し、キャップ３５をシリンダ錠３５に嵌合装着する。
【００２９】
本実施の形態では、開閉用治具で回転操作する施錠回転板６を、施錠フック５とは別体に設けていることから、図１１に（イ）〜（ト）示す如く操作開口部１８の形状が任意のものが採用できる。従って、所定の施錠回転板６を交換するだけて管理者別の任意の種類の開閉用治具に対応させることができる。
【００３０】
また、本実施の形態では、ソケット２３を除く上部材１２や下部ユニットの主要な部品を、ダクタイル鋳鉄で製造することができるため、頑丈で耐久性に優れ、しかも、コストも安価になる。その反面、ソケット２３をステンレス等の錆難い材料から構成しているため、ソケット２３の雌ねじ部３１ａに錆が発生するおそれがなく、シリンダ錠３５を長期にわたってソケット２３に装着しておいても、シリンダ錠３５がソケット２３側の錆により抜けなくなるのを防止できる。
【００３１】
また、本実施の形態の施錠装置Ａは、上部ユニットＢ及び下部ユニットＣからなり、それぞれのユニットを鉄蓋１に着脱自在に取り付けている。従って、施錠装置の施工後に、該施錠装置の交換やメンテナンスを容易且つ迅速に行えることとなる。具体的には、鉄蓋１を開放した状態で、上部ユニットＢ及び下部ユニットＣを固定するナット１７ａを緩め、ボルト１７から取り外し、下部ユニットＣを、ボルト１７から取り外す。更に、ボルト３３を緩めてシリンダ錠３５及びキャップ３７が一体になったソケット２３を、鉄蓋１の開口１ａを介して鉄蓋１の裏面側から取り外すことができる。
【００３２】
また、反対の作業により、ソケット２３等を鉄蓋１にその裏面側から取り付けることができ、ソケット２３等を鉄蓋１から取り外して交換でき、それぞれ部品のメンテナンスや交換等の作業を容易に行える。しかも、上部本体２２を鉄蓋１に固定した状態で、ソケット２３等を鉄蓋１の裏面側から取り外すことができるので、上部本体２をコンクリートにより鉄蓋１から取り外せないようにして安全性も維持することができる。
【００３３】
前記装置本体は、必ずしも蓋体と別体の上下部ユニットから構成する必要なく、例えば、上部ユニットの上部材は、蓋体と一体成形されたものであっても良い。
【００３４】
【発明の効果】
本発明の装置本体は、ソケット取付部品と、該ソケット取付部品に取り外し可能に装着されたソケットとを備え、ソケットに前記安全錠が取り付けられているので、複数種類のソケットを製造するだけで良く、種類の異なる装置本体全体を製造する必要がなく、製造コストが安価になると共に、ストックのスペースも減少し在庫管理が容易になる。
【００３５】
前記ソケットは、ソケット取付部品よりも腐食し難い材料からなるのが好ましく、かかる場合には、例えば、雨水等によりソケットが長期にわたって錆び難くくなり、ソケットの錆びつきにより安全錠が取り外し難くなるのを防止でき、シリンダ錠の取り外し作業を容易且つ迅速に行え、点検作業効率を向上させることができる。
【００３６】
また、前記安全錠が取り付けられたソケットは、蓋体の下面側からソケット取付部品に着脱できる構成であるため、ソケット取付部品が蓋体に固定された状態であっても、ソケットのメンテナンスや交換作業を容易且つ迅速に行える。
【図面の簡単な説明】
【図１】本発明の一実施の形態を示す要部断面図である。
【図２】同蓋体に施錠装置を取り付けた一部断面を含む正面図である。
【図３】同蓋体に施錠装置を取り付けた状態を示し、（イ）は平面図、（ロ）は底面図である。
【図４】下部ユニットの分解断面図である。
【図５】（イ）は操作体を示す平面図、（ロ）は施錠フックの平面図である。
【図６】上部本体及びソケットの分解断面図である。
【図７】上部ユニットからシリンダ錠及びキャップを取り外した断面図である。
【図８】（イ）は上部ユニットを示す断面図、（ロ）は下部ユニットを示す断面図である。
【図９】上部ユニットを示し、（イ）は平面図、（ロ）は底面図である。
【図１０】開閉用治具で施錠フックを回動させる状態の断面図である。
【図１１】（イ）〜（ト）は、操作体をそれぞれ示す平面図である。
【符号の説明】
１…鉄蓋（蓋体）、２…受枠、２ｂ…開口部、５…施錠フック、８…施錠取付部品、２２…上部本体（ソケット取付部品）、２３…ソケット、３５…シリンダ錠（安全錠）、Ａ…施錠装置
【図１】
2004190261.tif 000003
【図２】
2004190261.tif 000004
【図３】
2004190261.tif 000005
【図４】
2004190261.tif 000006
【図５】
2004190261.tif 000007
【図６】
2004190261.tif 000008
【図７】
2004190261.tif 000009
【図８】
2004190261.tif 000010
【図９】
2004190261.tif 000011
【図１０】
2004190261.tif 000012
【図１１】
2004190261.tif 000013